(57)【要約】【課題】  レーダチャートの評価点を面積に対応させた多角形で描画するチャート描画処理方法または装置を提供する。【解決手段】  データ読み出し部１２は，描画対象の評価項目数Ｎ，評価軸長Ｍ，評価項目と得点などの情報をレーダチャート描画処理装置３から入力する。ベース図形算出部１３は，頂角と等しい二辺を持つ単位図形（二等辺三角形）を評価項目数分生成する。項目値対応図形算出部１４は，頂角が２π／Ｎ，該当する評価項目の項目値を表す面積を持つ単位図形の相似形の等しい二辺の長さＬを求めて項目値対応図形を生成する。多角形チャート描画部１５は，レーダチャートの指標軸と該当する項目値対応図形の中心線が重なり，項目値対応図形の頂点が中心点に重なるように全項目値対応図形を放射状に配置して構成した多角形チャートを表示装置１６の表示域に描画する。【選択図】  図５
2007065936.tif 000002
【特許請求の範囲】
【請求項１】
コンピュータシステムが，少なくとも３以上の評価項目が設定された描画対象について，前記評価項目の各項目値同士の関係をベース図形を組み合わせた多角形で表す多角形チャートによって描画する処理方法であって，
描画対象に設定されている評価項目，および各評価項目の項目値を入力するステップと，
頂角および等しい二辺を持つベース図形を前記評価項目数Ｎ個分生成し，各評価項目に割り当てるステップと，
前記頂角が２π／Ｎであり，かつ割り当てられた評価項目の項目値を表す面積を持つ前記ベース図形の相似形を生成して項目値対応図形とするステップと，
前記項目値対応図形を，前記頂点が前記割り当てられた評価項目の指標軸の起点と重なり，かつ前記頂角の二等分線が当該指標軸と重なるようにして，全項目値対応図形を放射状に配置して構成した多角形チャートを描画するステップとを備える
多角形チャート描画処理方法。
【請求項２】
底辺または等しい二辺の形状が異なる複数のベース図形を記憶手段に記憶しておき，ユーザの指定によって前記記憶手段から選択されたベース図形を取得するステップを備える
請求項1記載の多角形チャート描画処理方法。
【請求項３】
コンピュータを，少なくとも３以上の評価項目が設定された描画対象について，前記評価項目の各項目値同士の関係をベース図形を組み合わせた多角形で表す多角形チャートによって描画するために，
描画対象に設定された評価項目，および各評価項目の項目値を入力するデータ入力手段と，
頂角および等しい二辺を持つベース図形を前記評価項目数Ｎ個分生成し，各評価項目に割り当てるベース図形設定手段と，
前記頂角が２π／Ｎであり，かつ割り当てられた評価項目の項目値を表す面積を持つ前記ベース図形の相似形を生成して項目値対応図形とする項目値対応図形生成手段と，
前記項目値対応図形を，前記頂点が前記割り当てられた評価項目の指標軸の起点と重なり，かつ前記頂角の二等分線が当該指標軸と重なるようにして，全項目値対応図形を放射状に配置して構成した多角形チャートを描画する多角形チャート描画手段とを備える
処理装置として機能させるための多角形チャート描画プログラム。
【請求項４】
前記コンピュータを，さらに，
底辺または等しい二辺の形状が異なる複数のベース図形を記憶するベース図形記憶手段と，
ユーザの指定によって前記ベース図形記憶手段から選択されたベース図形を取得するベース図形設定手段とを備える
処理装置として機能させるための請求項３に記載の多角形チャート描画プログラム。
【請求項５】
前記コンピュータを，
前記描画対象を表現するチャートとして，レーダチャートまたは多角形チャートのいずれかを指定するユーザ入力を受け付けるチャート選択手段と，
前記描画対象の前記評価項目の各項目値同士の関係をレーダチャートによって描画するレーダチャート描画手段とを備えるとともに，
前記データ入力手段では，前記チャート選択手段において，多角形チャートの指定を受け付けた場合に，描画対象に設定された評価項目，および各評価項目の項目値を入力する処理を行う
処理装置として機能させるための請求項３に記載の多角形チャート描画プログラム。
【発明の詳細な説明】
【技術分野】
【０００１】
本発明は，コンピュータを用いたチャート描画処理方法およびプログラムに関し，より詳しくは，多角形の面積を用いた多角形チャート描画処理方法，および前記処理方法を実行する処理装置としてコンピュータを機能させるためのプログラムに関する。
【背景技術】
【０００２】
レーダチャートを利用した分析の一手法として，レーダチャートの評価項目の指標軸上にプロットされた各得点を結んだ図形（以下，「レーダチャート図形」という）の面積の大きさを算出し，その面積の大小を単純に比較し，面積が大きい対象をより良いとする判定手法がある。
【０００３】
例えば，特許文献１のレーダチャートを用いた判定方法では，判定対象の２つのレーダチャートを並べて表示し，２つのレーダチャート図形の面積を算出し，所定の手順で算出された基準図形の面積と，算出したレーダチャートの面積とを比較することによって，判定対象の良否を判定している。
【特許文献１】特開２００２−１９７２５０号公報
【発明の開示】
【発明が解決しようとする課題】
【０００４】
しかし，レーダチャートを用いた分析において，判定や評価の対象を表現するレーダチャート図形の面積が，その評価対象の評価の総得点を正確に反映していない場合がある。
【０００５】
また，レーダチャートの指標軸上にプロットされた得点同士の位置関係によっては，レーダチャート図形の面積の大きさに対する直感的な判断が誤りとなってしまうおそれがある。
【０００６】
図１〜図３を用いて，レーダチャートに表現された評価対象を，そのレーダチャート図形の面積を用いて評価する場合の誤評価の例を説明する。
【０００７】
図１は，レーダチャートの表示例を示す図である。図１に示すレーダチャートは，８つの評価項目（Ａ〜Ｈ）について，各評価項目の指標軸に０〜５の評価目盛りを持つレーダチャートのベースに，３つの評価対象である対象ａ，対象ｂ，対象ｃを表すレーダチャート図形が描画されている。
【０００８】
図１のようなレーダチャートにおいて，どの評価対象が総合的に優れているかを一見しただけで判断することは困難である。各対象のレーダチャート図形の見た目の大きさを直感的に比べると，対象ｂまたは対象ｃが良いように見える。
【０００９】
この評価の良否を，対象の得点合計，レーダチャート図形の面積，見た目の図形の大きさを用いて検証する。
【００１０】
図２は，３つの評価対象のデータ表の例，およびレーダチャート図形の例を示す図である。
【００１１】
図２（Ａ）は対象ａのデータ表，図２（Ｂ）は対象ｂのデータ表，図２（Ｃ）は対象ｃのデータ表を示す図である。各データ表には，各評価項目の得点と面積，得点の合計，およびレーダチャート図形の面積が記録されている。
【００１２】
また，図２（Ｄ）は対象ａを表すレーダチャート図形，図２（Ｅ）は対象ｂを表すレーダチャート図形，図２（Ｆ）は対象ｃを表すレーダチャート図形を示す図である。
【００１３】
図３は，合計得点，レーダチャート図形の面積，およびレーダチャート図形の見た目の大きさにおける，各対象の順位を示す図である。図２（Ａ）〜図２（Ｃ）のデータ表から，合計得点における対象の順位は，1位＝対象ｃ，２位＝対象ｂ，３位＝対象ａとなる。また，レーダチャート図形の面積における順位は，1位＝対象ａ，２位＝対象ｂ，３位＝対象ｃとなる。また，前述したように，レーダチャート図形の見た目の大きさにおける直感的な評価においては，対象ｂまたは対象ｃが良いように見えるので，1位または２位＝対象ｂまたは対象ｃ，３位＝対象ａの順序となる。
【００１４】
図３に示すように，合計得点，レーダチャート図形の面積，およびレーダチャート図形の見た目の大きさにおける順位は一致していないことがわかる。したがって，各対象の優劣の評価を，レーダチャート図形の面積にもとづいて行うと，評価結果を誤るおそれがある。これは，評価対象を表すレーダチャート図形の面積が，その評価項目の合計得点に正確に対応していないためである。
【００１５】
また，レーダチャート図形の大きさのイメージから直感的に評価すると，図形の大きさの大小関係の判断が難しいうえ，合計得点が近いような対象同士の場合には，評価を誤るおそれがある。レーダチャート図形の形状的な特徴が，面積の比較には適していないうえ，レーダチャートの指標軸上の得点の位置の組み合わせによっては，図形の大きさに対する印象が変わるからである。
【００１６】
従来技術のレーダチャート図形の面積による評価方法，例えば，特許文献１に開示されている処理方法では，評価対象をレーダチャート上に描画し，その描画されたレーダチャート図形の面積を単純に比較して評価を行っているだけであった。そのため，評価対象の総得点の大小関係とレーダチャート図形の面積の大小関係とが対応せず，正確な評価を行えなかった。
【００１７】
一方で，このようなレーダチャート図形の面積による評価処理の曖昧さをカバーするために，レーダチャート表示と併せて，評価対象の各評価項目の得点のデータ表を表示して，ユーザが評価対象の得点の合計をこのデータ表で確認できるようにするシステムもある。しかし，このようなシステムでは，最終的な評価をデータ表の数値を確認して行わなければならず，ユーザは，レーダチャートによる比較の利便性を十分に享受できなかった。
【００１８】
このように，従来では，評価対象の評価総得点を正確にレーダチャート図形の面積に反映させることは考慮されていなかった。
【００１９】
そのため，評価対象のレーダチャート図形の面積を単純に比較することに因る評価結果の誤りを排除することができなかった。また，レーダチャート図形同士を見比べて直感的に優劣を評価することは，レーダチャート図形の形状的な特徴からも困難であった。
【００２０】
本発明の目的は，レーダチャートが備える，指標軸上での凹凸による傾向の可視化に優れているという特性を損なわずに，評価対象の得点をレーダチャート図形の面積に正確に反映した図形を描画できる新しいチャート描画処理方法およびプログラムを提供することである。
【課題を解決するための手段】
【００２１】
本発明は，コンピュータシステムが，少なくとも３以上の評価項目が設定された描画対象について，前記評価項目の各項目値同士の関係をベース図形を組み合わせた多角形で表す多角形チャートによって描画する処理方法であって，１）描画対象に設定されている評価項目，および各評価項目の項目値を入力するステップと，２）頂角および等しい二辺を持つベース図形を評価項目数Ｎ個分生成し，各評価項目に割り当てるステップと，３）頂角が２π／Ｎであり，かつ割り当てられた評価項目の項目値を表す面積を持つベース図形の相似形を生成して項目値対応図形とするステップと，４）項目値対応図形を，頂点が割り当てられた評価項目の指標軸の起点と重なり，かつ頂角の二等分線が当該指標軸と重なるようにして，全項目値対応図形を放射状に配置して構成した多角形チャートを描画するステップとを備える。
【００２２】
本発明では，以下のようにして，多角形チャートを描画する。例えば，図１に示すレーダチャートの描画対象を，多角形チャートの描画対象と仮定する。
【００２３】
まず，描画対象に設定された項目（評価項目Ａ〜Ｈ）および各項目の項目値を入力する。例えば図２（Ａ）〜図２（Ｃ）のデータ表を入力する。そして，項目ごとのベース図形として，頂角および等しい二辺を持つ二等辺三角形をベース図形として設定し，描画対象の項目数Ｎ（Ｎ＝8）個分のベース図形を生成する。
【００２４】
そして，ベース図形の頂角θが２π／Ｎであり，割り当てられた評価項目の項目値を表す面積を持つベース図形の相似形を生成して項目値対応図形とする。
【００２５】
そして，項目値対応図形を，その頂点が指標軸の起点（ゼロ点）に重なり，かつ，その頂角の二等分線が割り当てられた評価項目の指標軸に重なるようにして，全項目値対応図形を放射状に配置して構成した多角形チャートを描画する。
【００２６】
図４は，図１のレーダチャートの描画対象を多角形チャートで描画した例を示す図である。
【００２７】
図４に示すように，多角形チャートにおいて，各項目に割り当てられている項目値対応図形は，ベース図形である二等辺三角形の頂点がレーダチャートの指標軸の起点に重なり，かつ頂角の二等分線が割り当てられた評価項目の指標軸と重なるように放射状に配置されている。多角形チャートにおいて，各評価項目の項目値は，割り当てられた項目値対応図形の面積として表される。
【００２８】
また，項目値対応図形は，ベース図形の相似形であるので，項目値対応図形の底辺の位置によって各項目値の関係を表示することができる。評価項目の項目値が小さい場合は，項目値対応図形の面積が小さく，底辺が起点（ゼロ点）に近く描画される。また，評価項目の項目値が大きい場合は，項目値対応図形の面積が大きく，底辺がより外周部に近く描画されることになる。
【００２９】
このようにして，本発明による多角形チャートは，各評価項目の項目値同士の大小関係を面積の大小関係に正確に反映させることができる。
【００３０】
そのため，多角形チャートの面積のみで評価対象の評価の総得点を表すことができ，別途評価対象の実値を示すデータ表を表示する必要がなくなる。
【００３１】
さらに，多角形チャートにおける各項目値対応図形の関係は，割り当てられた評価項目の得点の関係に常に対応し，相似形によって表示されるので，各評価項目の指標軸上の凹凸によって傾向を可視化できるというレーダチャートの特性をも備えている。
【００３２】
すなわち，項目値対応図形の底辺は，得点が高い程外周部側に描画されるため，多角形チャートを見比べて直感的な評価を行う場合でも，従来に比べてより容易かつ正確に評価することができる。
【００３３】
また，本発明は，底辺または等しい二辺の線分の形状が異なる複数のベース図形を記憶手段に記憶しておき，ユーザの指定によって前記記憶手段から選択されたベース図形を取得するステップを備える。
【００３４】
これによって，底辺などにバリエーションを持たせたベース図形を用意しておき，ユーザの指示などによって，様々な形状の多角形チャートを描画することができる。
【００３５】
また，本発明は，コンピュータを，前記の多角形チャート描画処理方法を実現する処理装置として機能させるための多角形チャート描画プログラムである。
【００３６】
また，本発明は，前記コンピュータを，前記描画対象を表現するチャートとして，レーダチャートまたは多角形チャートのいずれかを指定するユーザ入力を受け付けるチャート選択手段と，前記描画対象の前記評価項目の各項目値同士の関係をレーダチャートによって描画するレーダチャート描画手段とを備えるとともに，前記データ入力手段では，前記チャート選択手段において，多角形チャートの指定を受け付けた場合に，描画対象に設定された評価項目，および各評価項目の項目値を入力する処理を行う処理装置として機能させるためのものである。
【発明の効果】
【００３７】
以上，本発明によれば，レーダチャートを利用した分析の際に，レーダチャート図形の面積の単純比較による評価処理において，正確な評価が行えなかったという問題を解決し，各評価項目の得点や得点合計の大小関係を，多角形チャートの面積の大小関係として提示することができる。
【００３８】
加えて，レーダチャートの長所である，各項目の指標軸での凹凸による傾向の可視化を可能にするチャート表示が行えるため，チャートを見比べた場合の直感的な評価においても，評価の精度を高めることが期待できる。
【００３９】
また，レーダチャートと多角形チャートとの表示を切り替えることができるため，必要に応じてレーダチャートによる分析を併用することができる。
【発明を実施するための最良の形態】
【００４０】
図５は，本発明にかかる多角形チャート描画処理装置１の構成例を示す図である。
【００４１】
多角形チャート描画処理装置１は，少なくとも３以上の項目が設定された描画対象について，評価項目の各項目値間の関係をベース図形を組み合わせた多角形で表す多角形チャートによって描画する処理装置である。多角形チャート描画処理装置１は，コンピュータに読み込まれ実行されるプログラムのモジュールとして実施される。
【００４２】
また，多角形チャート描画処理装置１は，同じコンピュータ内に設けられたレーダ／多角形チャート切り替え部２，レーダチャート描画処理装置３からデータまたは要求を送受信する。
【００４３】
レーダ／多角形チャート切り替え部２は，描画対象を表示するチャートとして，レーダチャートまたは多角形チャートのいずれかを指定するユーザ入力を受け付け，多角形チャート描画処理装置１またはレーダチャート描画処理装置３へ，それぞれのチャートの描画要求を通知する処理手段である。
【００４４】
レーダチャート描画処理装置３は，描画対象の評価項目の各項目値間の関係をレーダチャートによって描画する処理装置である。
【００４５】
多角形チャート描画処理装置１は，ベース図形形状指定部１１，データ読み出し部１２，ベース図形算出部１３，項目値対応図形算出部１４，多角形チャート描画部１５，および表示装置１６を備える。
【００４６】
ベース図形形状指定部１１は，多角形チャートを構成する単位となるベース図形として，底辺または等しい二辺の線分の形状が異なる複数のベース図形を記憶手段（図示しない）に記憶しておき，ユーザの指定によって記憶手段から選択されたベース図形の情報を取得する処理手段である。
【００４７】
図６は，ベース図形の形状の例を示す図である。図６（Ａ）に示すように，ベース図形は，線分ＡＯＢのなす角度を頂角θとし，辺ＡＯ，辺ＢＯの二辺の長さが等しい図形ＡＯＢである。図形ＡＯＢの底辺ＡＢは，直線でなくてもよく，図６（Ｂ）のように弧であってもよく，図６（Ｃ）のように逆弧であってもよい。また，図６（Ｄ）のように，複数の線分で構成されていてもよい。また，図６（Ｅ）のように，辺ＡＯ，辺ＢＯの二辺と底辺ＡＢとが直角をなすような形状であってもよい。ここで，図６（Ｅ）のような形状のベース図形を「五角形」と呼ぶ。
【００４８】
データ読み出し部１２は，描画対象に関する情報を，レーダチャート描画処理装置３から入力する処理手段である。データ読み出し部１２は，描画対象を示す評価対象名，レーダチャート描画時のレーダ色と，例えば図２（Ａ）〜（Ｃ）に示すようなデータ表として，評価項目名とその得点（項目値）などの情報を入力する。
【００４９】
また，データ読み出し部１２は，レーダチャート描画処理装置３から，評価項目数Ｎ，レーダチャートの評価軸の長さＭを入力する。なお，評価項目数Ｎおよびレーダチャートの評価軸の長さＭは，レーダチャート描画処理装置３での描画処理と連動して予め入力しておいてもよい。
【００５０】
ベース図形算出部１３は，ベース図形を，評価項目数Ｎ個分生成し，各評価項目に割り当てる処理手段である。具体的には，評価項目数Ｎをもとに，頂角θを２π／Ｎで算出し，等しい二辺（辺ＡＯ，辺ＢＯ）の一辺の値を，レーダチャートの指標軸の長さＭを用いて決定してベース図形を生成する。
【００５１】
項目値対応図形算出部１４は，頂角が２π／Ｎであり，かつ割り当てられた評価項目の項目値を表す面積を持つベース図形の相似形を生成して項目値対応図形とする処理手段である。
【００５２】
具体的には，頂角θが２π／Ｎであり，割り当てられた評価項目の項目値を表す面積を持つベース図形の相似形を生成し，この相似形の等しい二辺の長さＬを求める。ある評価項目の項目値がＰである場合に，以下の式で求める。
【００５３】
Ｌ＝√（２Ｐ／ｓｉｎ（２π／Ｎ））
例えば，ベース図形として，図６（Ａ）の二等辺三角形を使用する場合に，ベース図形ＡＯＢの相似形ＣＯＤの等しい二辺の長さＬは，ベース図形ＡＯＢの相似形ＣＯＤの辺ＣＯ，辺ＤＯの長さである。
【００５４】
なお，項目値対応図形算出部１４は，ベース図形の等しい二辺の長さＬをその面積と頂角から算出する方法であれば，既知のどのような式も使用することができる。
【００５５】
多角形チャート描画部１５は，項目値対応図形を，頂点Ｏが割り当てられた評価項目の指標軸の起点と重なり，頂角θの二等分線が指標軸と重なるようにして，全ての項目値対応図形を放射状に配置して構成した多角形チャートを描画する処理手段である。
【００５６】
具体的には，レーダチャートの評価項目の指標軸を利用して，項目値対応図形（図形ＣＯＤ）の頂点Ｏが評価項目の指標軸の起点（ゼロ点）に重なり，かつ，その頂角θの二等分線が割り当てられた評価項目の指標軸に重なるように，全ての項目値対応図形を放射状に配置して構成した多角形チャートを生成し，全ての項目値対応図形を同一模様または同一色（例えば指定されたレーダ色）で表示装置１６の表示域に描画する。または，全ての項目値対応図形を配置し，それらの底辺および底辺の端点同士を結んだ線分を，同一色（例えば指定されたレーダ色）で描画する。
【００５７】
以下に，本発明の処理の流れを説明する。
【００５８】
本形態では，多角形チャート描画処理装置１は，レーダチャート描画処理装置３とのチャート表示の切り替えによって処理を実行するものとする。
【００５９】
レーダチャート描画処理装置３によって，図１に示すレーダチャートが描画されている場合に，例えば，図７に示す表示画面１００に設けられた「多角形チャート表示」ボタン１１０が選択されて，ユーザの多角形チャート表示の指示があると，レーダ／多角形チャート切り替え部２から，多角形チャートの描画要求を受け付けて処理を開始する。
【００６０】
図８は，多角形チャート描画処理装置１の処理の流れを示す図である。
【００６１】
ベース図形算出部１３は，データ読み出し部１２が，レーダチャート描画処理装置３から，描画する評価対象のデータ表を入力すると，評価項目数Ｎ，レーダチャートの評価軸の長さＭを入力し，ベース図形に関する値として図形の頂角θ＝２π／Ｎ，等しい二辺の一辺の長さ＝Ｍを入力する（ステップＳ１）。
【００６２】
さらに，ベース図形算出部１３は，レーダチャートの指標軸の起点にＮ個のベース図形の頂点Ｏを合わせて，それぞれの頂角θの二等分線が割り当てられた評価項目の指標軸と重なるように放射状に配置し，各ベース図形の等しい二辺に目盛りを設定して描画する（ステップＳ２）。
【００６３】
ベース図形形状指定部１１は，ユーザによってベース図形の形状が指定されると，指定されたベース図形の情報をベース図形算出部１３へ通知する。ベース図形算出部１３は，指定されたベース図形の底辺が直線である場合に（ステップＳ３），各ベース図形の底辺を直線で描画する（ステップＳ４）。
【００６４】
項目値対応図形算出部１４は，評価項目のｉ番目（ｉ＝１〜Ｎ）に対する得点Ｐをデータ表から読み出し（ステップＳ５），得点Ｐを所定の式に代入してベース図形の等しい二辺の長さＬを求める（ステップＳ６）。さらに，ｉ番目の評価項目に割り当てられたベース図形上に，ベース図形の相似形で，頂角θ，等しい二辺の長さがＬの項目値対応図形を描画する（ステップＳ７）。
【００６５】
そして，評価項目の１〜Ｎについて描画したかどうかを判断し（ステップＳ８），評価項目の１〜Ｎについて描画していなければ（ステップＳ８のＮＯ），ステップＳ５の処理へ戻る。一方，評価項目の１〜Ｎについて描画していれば（ステップＳ８のＹＥＳ），処理を終了する。
【００６６】
また，ステップＳ３の処理において，ベース図形算出部１３は，指定されたベース図形の底辺が弧または複数の線分である場合に（ステップＳ３），各ベース図形の底辺を弧または複数の線分で描画する（ステップＳ９）。その後に，ステップＳ５〜Ｓ８の処理を行う。
【００６７】
また，ステップＳ３の処理において，ベース図形算出部１３は，指定されたベース図形が五角形である場合に（ステップＳ３），各ベース図形の矩形部分の長辺となる等しい二辺がレーダチャートの指標軸と平行となる四角形を描画する（ステップＳ１０）。そして，各ベース図形の三角形部分は固定として，得点Ｐに応じた長辺で矩形を描画する（ステップＳ１１）。
【００６８】
そして，評価項目の１〜Ｎについて描画したかどうかを判断し（ステップＳ１２），評価項目の１〜Ｎについて描画していなければ（ステップＳ１２のＮＯ），ステップＳ１１の処理へ戻る。一方，評価項目の１〜Ｎについて描画していれば（ステップＳ１２のＹＥＳ），処理を終了する。
【００６９】
このような処理によって，図１に示すレーダチャートに表示された評価対象は，図４に示す多角形チャートによっても表示させることができる。
【００７０】
図９は，３つの評価対象の多角形チャートの図形および各多角形チャートの面積を示す図である。
【００７１】
図９（Ａ）は，対象ａの多角形チャート，図９（Ｂ）は，対象ｂの多角形チャート，図９（Ｃ）は，対象ｃの多角形チャートを示す。図９（Ｄ）は，対象ａの多角形チャートの面積を示すデータ表，図９（Ｅ）は，対象ｂの多角形チャートの面積を示すデータ表，図９（Ｆ）は，対象ｃの多角形チャートの面積を示すデータ表である。データ表は，項目値対応図形算出部１４で算出された，評価項目に対応する項目値対応図形の面積と等しい二辺の長さ，および各項目値対応図形の面積の合計である多角形チャートの総面積が記録されている。
【００７２】
図１０に示すように，図９（Ａ）〜図９（Ｃ）の各対象の多角形チャートの面積と，多角形チャートの図形の見た目の大きさに対する順位は，ほぼ対応がとれている。このように，描画された評価対象の多角形チャート面積が評価得点の合計を表し，かつ，多角形チャートの面積と，図形の見た目の大きさとが対応することによって，実際の得点の合計との判断ギャップが小さくなることから，多角形チャートを見て直感的に判断する場合の誤りを少なくすることが期待できる。
【００７３】
以上，本発明をその実施の形態により説明したが，本発明はその主旨の範囲において種々の変形が可能であることは当然である。
【００７４】
例えば，多角形チャート描画処理装置１とレーダチャート描画処理装置３は，表示装置１６の同一の表示領域にそれぞれのチャートを描画処理し，多角形チャートとレーダチャートとを重ねて同時に表示させるようにしてもよい。
【００７５】
また，本発明は，コンピュータにより読み取られ実行される処理プログラムとして実施するものとして説明したが，本発明を実現する処理プログラムは，コンピュータが読み取り可能な，可搬媒体メモリ，半導体メモリ，ハードディスクなどの適当な記録媒体に格納することができ，これらの記録媒体に記録して提供され，または，通信インタフェースを介して種々の通信網を利用した送受信により提供されるものである。
【００７６】
本発明の形態および実施例の特徴を列記すると以下のとおりである。
【００７７】
（付記１）  コンピュータシステムが，少なくとも３以上の評価項目が設定された描画対象について，前記評価項目の各項目値同士の関係をベース図形を組み合わせた多角形で表す多角形チャートによって描画する処理方法であって，
描画対象に設定されている評価項目，および各評価項目の項目値を入力するステップと，
頂角および等しい二辺を持つベース図形を前記評価項目数Ｎ個分生成し，各評価項目に割り当てるステップと，
前記頂角が２π／Ｎであり，かつ割り当てられた評価項目の項目値を表す面積を持つ前記ベース図形の相似形を生成して項目値対応図形とするステップと，
前記項目値対応図形を，前記頂点が前記割り当てられた評価項目の指標軸の起点と重なり，かつ前記頂角の二等分線が当該指標軸と重なるようにして，全項目値対応図形を放射状に配置して構成した多角形チャートを描画するステップとを備える
多角形チャート描画処理方法。
【００７８】
（付記２）
底辺または等しい二辺の形状が異なる複数のベース図形を記憶手段に記憶しておき，ユーザの指定によって前記記憶手段から選択されたベース図形を取得するステップを備える
前記付記１記載の多角形チャート描画処理方法。
【００７９】
（付記３）
前記描画対象を表現するチャートとして，レーダチャートまたは多角形チャートのいずれかを指定するユーザ入力を受け付けるステップと，
前記描画対象の前記評価項目の各項目値同士の関係をレーダチャートによって描画するステップとを備えるとともに，
前記評価項目の項目値を入力するステップにおいて，前記レーダチャートまたは多角形チャートのいずれかを指定するユーザ入力として多角形チャートの指定を受け付けた場合に，描画対象に設定された評価項目，および各評価項目の項目値を入力する処理を行う
前記付記１記載の多角形チャート描画処理方法。
【００８０】
（付記４）
少なくとも３以上の評価項目が設定された描画対象について，前記評価項目の各項目値同士の関係をベース図形を組み合わせた多角形で表す多角形チャートによって描画する処理装置であって，
描画対象に設定された評価項目，および各評価項目の項目値を入力するデータ入力手段と，
頂角および等しい二辺を持つベース図形を前記評価項目数Ｎ個分生成し，各評価項目に割り当てるベース図形設定手段と，
前記頂角が２π／Ｎであり，かつ割り当てられた評価項目の項目値を表す面積を持つ前記ベース図形の相似形を生成して項目値対応図形とする項目値対応図形生成手段と，
前記項目値対応図形を，前記頂点が前記割り当てられた評価項目の指標軸の起点と重なり，かつ前記頂角の二等分線が当該指標軸と重なるようにして，全項目値対応図形を放射状に配置して構成した多角形チャートを描画する多角形チャート描画手段とを備える
多角形チャート描画処理装置。
【００８１】
（付記５）
底辺または等しい二辺の形状が異なる複数のベース図形を記憶するベース図形記憶手段と，
ユーザの指定によって前記ベース図形記憶手段から選択されたベース図形を取得するベース図形設定手段とを備える
前記付記４に記載の多角形チャート描画処理装置。
【００８２】
（付記６）
前記描画対象を表現するチャートとして，レーダチャートまたは多角形チャートのいずれかを指定するユーザ入力を受け付けるチャート選択手段と，
前記描画対象の前記評価項目の各項目値同士の関係をレーダチャートによって描画するレーダチャート描画手段とを備えるとともに，
前記データ入力手段では，前記チャート選択手段において，多角形チャートの指定を受け付けた場合に，描画対象に設定された評価項目，および各評価項目の項目値を入力する処理を行う
前記付記４に記載の多角形チャート描画処理装置。
【００８３】
（付記７）
コンピュータを，少なくとも３以上の評価項目が設定された描画対象について，前記評価項目の各項目値同士の関係をベース図形を組み合わせた多角形で表す多角形チャートによって描画するために，
描画対象に設定された評価項目，および各評価項目の項目値を入力するデータ入力手段と，
頂角および等しい二辺を持つベース図形を前記評価項目数Ｎ個分生成し，各評価項目に割り当てるベース図形設定手段と，
前記頂角が２π／Ｎであり，かつ割り当てられた評価項目の項目値を表す面積を持つ前記ベース図形の相似形を生成して項目値対応図形とする項目値対応図形生成手段と，
前記項目値対応図形を，前記頂点が前記割り当てられた評価項目の指標軸の起点と重なり，かつ前記頂角の二等分線が当該指標軸と重なるようにして，全項目値対応図形を放射状に配置して構成した多角形チャートを描画する多角形チャート描画手段とを備える
処理装置として機能させるための多角形チャート描画プログラム。
【００８４】
（付記８）
前記コンピュータを，さらに，
底辺または等しい二辺の形状が異なる複数のベース図形を記憶するベース図形記憶手段と，
ユーザの指定によって前記ベース図形記憶手段から選択されたベース図形を取得するベース図形設定手段とを備える
処理装置として機能させるための前記付記７に記載の多角形チャート描画プログラム。
【００８５】
（付記９）
前記コンピュータを，
前記描画対象を表現するチャートとして，レーダチャートまたは多角形チャートのいずれかを指定するユーザ入力を受け付けるチャート選択手段と，
前記描画対象の前記評価項目の各項目値同士の関係をレーダチャートによって描画するレーダチャート描画手段とを備えるとともに，
前記データ入力手段では，前記チャート選択手段において，多角形チャートの指定を受け付けた場合に，描画対象に設定された評価項目，および各評価項目の項目値を入力する処理を行う
処理装置として機能させるための前記付記７に記載の多角形チャート描画プログラム。
【図面の簡単な説明】
【００８６】
【図１】レーダチャートの表示例を示す図である。
【図２】評価対象のデータ表の例およびレーダチャート図形を示す図である。
【図３】合計得点の順位，レーダチャートの面積，およびレーダチャート図形の見た目の大きさにおける判定対象の評価順位を示す図である。
【図４】図１に示すレーダチャートの描画対象を，多角形チャートで描画した例を示す図である。
【図５】多角形チャート描画処理装置の構成例を示す図である。
【図６】ベース図形の形状の例を示す図である。
【図７】評価対象のレーダチャートの表示画面の例を示す図である。
【図８】多角形チャート描画処理装置の処理の流れを示す図である。
【図９】評価対象の多角形チャートの図形および面積を示す図である。
【図１０】多角形チャートの総面積および多角形チャートの図形の見た目の大きさにおける評価対象の評価順位を示す図である。
【符号の説明】
【００８７】
１  多角形チャート描画処理装置
１１  ベース図形形状指定部
１２  データ読み出し部
１３  ベース図形算出部
１４  項目値対応図形算出部
１５  多角形チャート描画部
１６  表示装置
２  レーダ／多角形チャート切り替え部
３  レーダチャート描画処理装置
【図１】
2007065936.tif 000003
【図２】
2007065936.tif 000004
【図３】
2007065936.tif 000005
【図４】
2007065936.tif 000006
【図５】
2007065936.tif 000007
【図６】
2007065936.tif 000008
【図７】
2007065936.tif 000009
【図８】
2007065936.tif 000010
【図９】
2007065936.tif 000011
【図１０】
2007065936.tif 000012